(57)【要約】【課題】手動焦点調節時において、合焦位置近傍で焦点位置が定まらないという不具合を解消し、円滑に合焦位置への焦点調節を可能な焦点調節装置を提供する。【解決手段】フォーカスレンズを手動操作にて移動させるための手動操作手段１１０と、手動操作手段の操作方向および操作量を検出し、該操作方向および操作量に応じたフォーカスレンズの焦点調節信号を算出する演算手段１０９と、焦点調節信号に基づいてフォーカスレンズを光軸方向に移動させるレンズ駆動手段１０２とを有し、演算手段は、手動操作手段の操作方向の変化点間における手動操作手段の操作量に相当するフォーカスレンズ位置の移動量の差分値を求め、該差分値に応じて焦点調節信号を手動焦点調節操作が収束されるように制御する。【選択図】図１
2008309850.tif 000002
【特許請求の範囲】
【請求項１】
フォーカスレンズを手動操作にて移動させるための手動操作手段と、
前記手動操作手段の操作方向および操作量を検出し、該操作方向および操作量に応じた前記フォーカスレンズの焦点調節信号を算出する演算手段と、
前記焦点調節信号に基づいて前記フォーカスレンズを光軸方向に移動させるレンズ駆動手段とを有する焦点調節装置において、
前記演算手段は、前記手動操作手段の操作方向の変化点間における前記手動操作手段の操作量に相当する前記フォーカスレンズ位置の移動量の差分値を求め、該差分値に応じて前記焦点調節信号を手動焦点調節操作が収束されるように制御することを特徴とする焦点調節装置。
【請求項２】
撮像光学系により得られた画像から合焦状態を示す焦点評価値を算出する算出手段を有し、
前記演算手段は、前記差分値が予め定められた閾値よりも小さい場合、前記焦点調節信号を前記焦点評価値が最大となるように制御することを特徴とする請求項１に記載の焦点調節装置。
【請求項３】
前記演算手段は、前記差分値が変化しなくなった場合、該差分値の１／２に相当する値となるように前記焦点調節信号を制御することを特徴とする請求項１に記載の焦点調節装置。
【請求項４】
請求項１ないし３のいずれかに記載の焦点調節装置を有することを特徴とする撮像装置。
【発明の詳細な説明】
【技術分野】
【０００１】
本発明は、フォーカスレンズを手動操作にて移動させるための手動操作手段を有する焦点調節装置および撮像装置に関するものである。
【背景技術】
【０００２】
ＤＶＣ（Ｄｉｇｉｔａｌ  Ｖｉｄｅｏ  Ｃａｍｅｒａ）等の撮像装置において、ユーザーによるフォーカスリング操作に応じてフォーカスレンズを移動させ、光学系の焦点位置を変更する手動焦点調節機能を有するものが知られている。このような撮像装置においては、ユーザーは光学系の焦点位置を所望の位置に自由に調節できる。
【０００３】
また、ＤＶＣ等の撮像装置には、液晶ディスプレイ、ビューファインダー等の表示部が具備されており、該表示部に撮像素子にて取得される画像が表示される。該表示部での表示により、ユーザーは撮影中の被写体の合焦状態を確認することができる（例えば、特許文献１）。
【特許文献１】特開平８−３６１２９号公報
【発明の開示】
【発明が解決しようとする課題】
【０００４】
ＤＶＣ等の撮像装置において、ユーザーは、撮像素子にて取得される画像が表示される表示部にて撮影中の被写体の合焦状態を確認する。この際、フォーカスリング操作によりフォーカスレンズが移動させられ、該フォーカスリングの位置に対応した画像が表示部に表示されるまでの時間とフォーカスレンズ移動速度との間に時間差が生じたとする。この場合、表示部に合焦状態の画像が出力されたときには、フォーカスレンズ位置は合焦位置を越えてしまっている。したがって、ユーザーが表示部を見ていてその事に気が付いてフォーカスリングをそれとは逆方向に移動させたとしても、またフォーカスレンズ位置は合焦位置を越えてしまうという挙動が繰り返され、合焦位置が定まらないという課題を有していた。
【０００５】
（発明の目的）
本発明の目的は、手動焦点調節時において、合焦位置近傍で焦点位置が定まらないという不具合を解消し、円滑に合焦位置への焦点調節を行うことのできる焦点調節装置および撮像装置を提供しようとするものである。
【課題を解決するための手段】
【０００６】
上記目的を達成するために、本発明は、フォーカスレンズを手動操作にて移動させるための手動操作手段と、前記手動操作手段の操作方向および操作量を検出し、該操作方向および操作量に応じた前記フォーカスレンズの焦点調節信号を算出する演算手段と、前記焦点調節信号に基づいて前記フォーカスレンズを光軸方向に移動させるレンズ駆動手段とを有する焦点調節装置において、前記演算手段が、前記手動操作手段の操作方向の変化点間における前記手動操作手段の操作量に相当する前記フォーカスレンズ位置の移動量の差分値を求め、該差分値に応じて前記焦点調節信号を手動焦点調節操作が収束されるように制御することを特徴とする焦点調節装置とするものである。
【０００７】
同じく上記目的を達成するために、本発明の上記焦点調節装置を有する撮像装置とするものである。
【発明の効果】
【０００８】
本発明によれば、手動焦点調節時において、合焦位置近傍で焦点位置が定まらないという不具合を解消し、円滑に合焦位置への焦点調節を行うことができる焦点調節装置または撮像装置を提供できるものである。
【発明を実施するための最良の形態】
【０００９】
本発明を実施するための最良の形態は、以下の実施例１および２に示す通りである。
【実施例１】
【００１０】
図１は本発明の実施例１に係わるＤＶＣ等の撮像装置を示す構成図である。図１において、１０１は撮像光学系に含まれるフォーカスレンズ、１０２はフォーカスレンズ１０１を移動させるレンズモータ、１０３はＣＣＤ等の撮像素子である。１０４は撮像素子１０３から得られる信号をデジタル信号に変換するＡ／Ｄ変換部、１０５は撮像素子１０３からのデジタル信号処理を行うカメラ信号処理部である。１０６は画像メモリであり、必要に応じてカメラ信号処理部１０５からの画像（映像）信号を記憶し、記憶した画像信号を後述の記録信号処理部１０７に出力する。１０７は画像メモリ１０６から読み出された画像信号を記録するフォーマットに変換する記録信号処理部、１０８は記録媒体である。
【００１１】
１０９はシステム制御を担うＣＰＵであり、例えばフォーカスレンズ１０１の光軸方向の位置を決定する焦点調節信号をレンズモータ１０２に送出する。１１０は手動焦点ダイアルであり、その回転量（操作量）は電気信号に変換されてＣＰＵ１０９に入力される。１１１はＤ／Ａ変換部であり、記録信号処理部１０７からのデジタル信号をアナログ信号の画像信号に変換する。１１２はＤ／Ａ変換部１１１からの画像信号を符号化するエンコード部である。１１３はエンコード部１１２からの画像信号に基づいて画像表示を行う液晶ディスプレイ、ビューファインダー等の表示部である。
【００１２】
次に、上記構成の撮像装置において、ユーザーにより手動焦点調節操作（フォーカスレンズ操作）が行われた際の動作について説明する。
【００１３】
ＣＰＵ１０９は、ユーザーにより操作される手動焦点ダイアル１１０の回転運動量を電気信号に変換して読み込む。そして、手動焦点ダイアル１１０の回転運動量に相当する電気信号の変化に比例するように、フォーカスレンズ１０１を光軸方向に移動させるための焦点調節信号をレンズモータ１０２に送出する。この焦点調節信号に基づいてレンズモータ１０２がフォーカスレンズ１０１を合焦位置まで移動させる。
【００１４】
ユーザーは液晶ディスプレイ、ビューファインダー等の表示部１１３に表示される画像を見ながら、手動焦点ダイアル１１０を操作することにより、上記のようにしてフォーカスレンズ１０１の手動焦点調節が行われることになる。
【００１５】
図２に、ユーザーにより手動焦点ダイアル１１０が操作された際のタイミングチャートを示す。
【００１６】
図２において、縦方向に手動焦点ダイアル１１０の動きを示しており、これはフォーカスレンズ１０１の光軸方向の位置と連動している。また、横方向に手動焦点ダイアル１１０の操作による合焦位置に到達するまでの時間を示している。Ｐ１，Ｐ２，Ｐ３，Ｐ４，・・・は手動焦点ダイアル１１０の回転方向の変化点を示す。例えば、手動焦点ダイアル１１０が時計回りに回転させられた場合、フォーカスレンズ１０１はＰ１からＰ２の位置に移動し、反時計回りに回転させられた場合、フォーカスレンズ１０１はＰ２からＰ３の位置に移動する。そしてこの場合、Ｐ１，Ｐ２，Ｐ３が手動焦点ダイアル１１０の回転方向の変化点となる。
【００１７】
例えば、撮像素子１０３から得られた画像信号が表示部１１３に画像として表示されるまで、画像信号処理、画像メモリに対するアクセス、記録処理等の信号処理に要する時間のために、Δｔの遅延を生じたとする。この場合、手動焦点ダイアル１１０の操作により決定されたフォーカスレンズ位置での画像が表示部１１３に表示されるまで、Δｔの遅延を有することとなる。すなわち、図２において、手動焦点ダイアル１１０の回転操作にて決定されたフォーカスレンズ位置Ａ点における画像は、Δｔ経過後に表示部１１３に表示されることになる。
【００１８】
したがって、ユーザーは、表示部１１３に表示される画像を見て被写体の合焦状態を確認するため、手動焦点ダイアル１１０を操作したことにより決定されるフォーカスレンズ位置に基づいて得られた画像を、Δｔ経過後に表示部１１３にて見ることとなる。このため、Δｔの間、ユーザーは合焦状態を確認できないため、未だ合焦していないと判断して手動焦点ダイアル１１０の操作を継続してしまうことがある。この場合、フォーカスレンズ位置は合焦位置を越えてしまうことになる。図２中、Ｂ点に相当する。
【００１９】
その後、表示部１１３を見ていてその事に気が付いて手動焦点ダイアル１１０を今までとは逆方向に回転、例えば図２のＰ１からＰ２にフォーカスレンズ１０１が移動するように回転させたとする。しかし、今度は逆方向に合焦位置を越えてしまうことを繰り返し、合焦位置の近傍で焦点位置が定まらなくなってしまう。
【００２０】
上記の不具合を抑制するための本実施例１に係るＣＰＵ１０９およびカメラ信号処理部１０５での動作について、図３のフローチャートを用いて説明する。尚、この動作は、撮像装置に電源が投入された後、手動焦点ダイアル１１０が操作されることにより開始される。
【００２１】
手動焦点ダイアル１１０の操作が行われたことを検知すると、ステップＳ３０１にて、ＣＰＵ１０９は手動焦点ダイアル１１０の回転方向と回転角度（回転運動量）を検出する。そして、次のステップＳ３０２にて、手動焦点ダイアル１１０の回転方向が変化したか否かを判定し、変化していなければステップＳ３０４へ進み、変化していればステップＳ３０３へ進み、後述するカウント値をクリアしてステップＳ３０４へ進む。ステップＳ３０４では、手動焦点ダイアル１１０の回転角度に応じてフォーカスレンズ１０１の移動量を決定する。例えば、回転角度×α（α：係数（定数））とする。続くステップＳ３０５では、上記ステップＳ３０４にて決定したフォーカスレンズ１０１の移動量だけ、上記ステップＳ３０１にて操作された回転方向に応じた方向にフォーカスレンズ１０１が移動するようにレンズモータ１０２の駆動を制御する。
【００２２】
次のステップＳ３０６では、ＣＰＵ１０９はカメラ信号処理部１０５を用いて画像の合焦程度を示す焦点評価値を算出する。例えば、コントラスト値（隣接する画素間の輝度差の総和等）を焦点評価値として求める。この焦点評価値が大きいほど、合焦の程度は高くなる。また、ＣＰＵ１０９はカメラ信号処理部１０５を用いて焦点評価値を算出すると同時に、該焦点評価値の最大値を検出し、この最大値を取り込み、焦点調節信号としてステップＳ３０４のフォーカスレンズ１０１の移動量に反映される。さらに、ＣＰＵ１０９から入力される手動焦点ダイアル１１０の回転方向の情報に基づき、手動焦点ダイアル１１０の回転方向の変化点間（例えば図２のＰ３とＰ４間）における回転運動距離の差分値ΔＰを算出する。なお、回転運動距離とは、上記変化点間におけるフォーカスレンズ位置の移動量（変化量）である。そして、この差分値ΔＰを取り込む。
【００２３】
次のステップＳ３０７では、ＣＰＵ１０９は上記ステップＳ３０６にて取り込んだ差分値ΔＰを閾値Ｔｈと比較する。閾値Ｔｈは手動焦点調節操作を収束させるための比較値である。比較の結果、「ΔＰ＜Ｔｈ」であった場合、ステップＳ３０８へ進み、カウント値をインクリメントする。本実施例１において、「ΔＰ＜Ｔｈ」となる場合、すなわちユーザー操作に基づく手動焦点ダイアル１１０の回転運動量が小さい場合、合焦状態に近づいていると判定する。
【００２４】
次のステップＳ３０９では、上記ステップ３０６でインクリメントしたカウント値がＮ（Ｎ：自然数）に到達したか否かを判定する。閾値となるカウント値ＮはＣＰＵ１０９にて設定しても良いし、カメラ信号処理部１０５で設定しても良い。カウント値がＮに到達しない場合はステップＳ３０１に戻る。そして、手動焦点ダイアル１１０の回転方向と回転運動量やステップＳ３０６で算出された焦点評価位置の最大値に基づいてフォーカスレンズ１０１を移動させると共に、画像の合焦程度を示す焦点評価値の算出、差分値ΔＰの算出を繰り返し行う。その後、カウント値がＮに到達すると、ステップＳ３０９からステップＳ３１０へ進み、カウント値をリセット（カウント値＝０）する。同時にこの際、差分値ΔＰ内で得られる焦点評価値が最大値となるようにレンズモータ１０２が駆動制御され、フォーカスレンズ１０１が合焦位置へ移動させられる。そして、ステップＳ３１１へ進み、Δｔ経過するまでに手動焦点ダイアル１１０が操作されたか否かを判定する。その結果、手動焦点ダイアル１１０がΔｔ経過内に操作された場合は、未だ合焦していないと判断してユーザーが手動焦点ダイアル１１０の操作を継続しているとしてステップＳ３０１に戻り、上記と同様の動作を繰り返す。一方、Δｔ経過するまでに手動焦点ダイアル１１０が操作されなかった場合は、一連の動作を終了する。
【００２５】
以上のように、手動焦点ダイアル１１０の回転方向の変化点間における回転運動距離（フォーカスレンズ位置の移動量）の差分値ΔＰと閾値Ｔｈを比較する（Ｓ３０７）。そして、比較結果が「ΔＰ＜Ｔｈ」となる回数が規定値（カウント値Ｎ）に達すると、差分値ΔＰ内の最大の焦点評価値を得られるフォーカスレンズ位置になるように、つまり焦点調節信号を定め、レンズモータ１０２を駆動制御する（Ｓ３１０）。これにより、図４の破線部に示すように、フォーカスリング１０１の動きを収束させ得る該フォーカスレンズ１０１の位置を決定できる。
【００２６】
その結果、手動焦点ダイアル１１０の操作により決定されたフォーカスレンズ位置での画像が表示部１１３に表示されるまでに遅延を生じても、ユーザーはこの遅延を意識することなく、手動焦点ダイアル１１０の操作により、円滑に合焦させることができる。つまり、合焦位置の近傍で焦点位置が定まらないという不具合を解消し、円滑に合焦位置へ手動焦点調節することができる。別言すれば、ユーザーの手動操作によるフォーカスリングの挙動を抑制し、円滑に所望の合焦位置に焦点を調節可能な焦点調節装置および撮像装置を提供可能となる。
【実施例２】
【００２７】
次に、本発明の実施例２に係わる撮像装置について説明する。撮像装置の基本構成は、実施例１と同じ構成であるのでその説明は省略する。
【００２８】
図５に、本発明の実施例２に係わる手動焦点調節におけるユーザー操作による手動焦点ダイアル１１０の動きを示す。
【００２９】
図５において、縦方向に手動焦点ダイアル１１０の動きを示しており、これはフォーカスレンズ１０１の光軸方向の位置と連動している。また、横方向に手動焦点ダイアル１１０の操作による合焦位置に到達するまでの時間を示している。Ｐ１，Ｐ２，Ｐ３，Ｐ４，・・・は手動焦点ダイアル１１０の回転方向の変化点を示す。例えば、手動焦点ダイアル１１０が時計回りに回転させられた場合、フォーカスレンズ１０１はＰ１からＰ２の位置に移動し、反時計回りに回転させられた場合、フォーカスレンズ１０１はＰ２からＰ３の位置に移動する。そしてこの場合、Ｐ１，Ｐ２，Ｐ３が手動焦点ダイアル１１０の回転方向の変化点となる。
【００３０】
例えば、撮像素子１０３から得られた画像信号が表示部１１３に画像として表示されるまで、画像信号処理、画像メモリに対するアクセス、記録処理等の信号処理に要する時間のために、Δｔの遅延を生じたとする。この場合、手動焦点ダイアル１１０の操作により決定されたフォーカスレンズ位置での画像が表示部１１３に表示されるまで、Δｔの遅延を有することとなる。すなわち、図５において、手動焦点ダイアル１１０の回転操作にて決定されたフォーカスレンズ位置Ａ点における画像は、Δｔ経過後に表示部１１３に表示されることになる。
【００３１】
したがって、ユーザーは、表示部１１３に表示される画像を見て被写体の合焦状態を確認するため、手動焦点ダイアル１１０を操作したことにより決定されるフォーカスレンズ位置に基づいて得られた画像を、Δｔ経過後に表示部１１３にて見ることとなる。このため、Δｔの間、ユーザーは合焦状態を確認できないため、未だ合焦していないと判断して手動焦点ダイアル１１０の操作を継続してしまうことがある。この場合、フォーカスレンズ位置は合焦位置を越えてしまうことになる。図５中、Ｂ点に相当する。
【００３２】
その後、表示部１１３を見ていてその事に気が付いて手動焦点ダイアル１１０を今までとは逆方向に回転、例えば図５のＰ１からＰ２にフォーカスレンズ１０１が移動するように回転させたとする。しかし、今度は逆方向に合焦位置を越えてしまうことを繰り返し、合焦位置の近傍で焦点位置が定まらなくなってしまう。
【００３３】
上記の不具合を抑制するための本実施例２に係るＣＰＵ１０９およびカメラ信号処理部１０５での動作について、図６のフローチャートを用いて説明する。
【００３４】
手動焦点ダイアル１１０の操作が行われたことを検知すると、ステップＳ６０１にて、ＣＰＵ１０９は手動焦点ダイアル１１０の回転方向と回転角度を検出する。そして、次のステップＳ６０２にて、手動焦点ダイアル１１０の回転方向が変化したか否かを判定し、変化していなければステップＳ６０４へ進み、変化していればステップＳ６０３へ進み、後述するカウント値をクリアしてステップＳ６０４へ進む。次のステップＳ６０４では、手動焦点ダイアル１１０の回転角度に応じてフォーカスレンズ１０１の移動量を決定する。例えば、回転角度×α（α：係数（定数））とする。また、手動焦点ダイアル１１０の回転方向の情報に基づき、手動焦点ダイアル１１０の回転方向の変化点間における回転運動距離（フォーカスレンズ位置の移動量）の差分値ΔＰを算出する。この差分値ΔＰは一時的にＣＰＵ１０９に保存される。この算出処理は、手動焦点ダイアル１１０の操作がある場合、継続する。
【００３５】
次のステップＳ６０５では、上記ステップＳ６０４にて決定したフォーカスレンズ１０１の移動量だけ、上記ステップＳ６０１にて操作された回転方向に応じた方向にフォーカスレンズ１０１が移動するようにレンズモータ１０２の駆動を制御する。続くステップＳ６０６では、上記ステップＳ６０２にて算出した手動焦点ダイアル１１０の回転運動距離の前回の差分値ΔＰ１と、今回の手動焦点ダイアル１１０の回転運動距離の差分値ΔＰ２を比較する。尚、差分値ΔＰ１のみしか得られていない場合はステップＳ６０１に戻り、同様の動作を繰り返すことで差分値ΔＰ２が得られるものとする。差分値ΔＰ１とΔＰ２を比較した結果、「ΔＰ１＝ΔＰ２」でない場合は再びステップＳ６０１に戻り、「ΔＰ１＝ΔＰ２」となるまで同様の動作を繰り返す。
【００３６】
上記ステップＳ６０６にて「ΔＰ１＝ΔＰ２」となったことを判定するとステップＳ６０７へ進み、カウント値をインクリメントする。そして、次のステップＳ６０８にて、上記ステップ６０７でインクリメントしたカウント値がＮ（Ｎ：自然数）に到達したか否かを判定する。カウント値がＮに到達しない場合はステップＳ６０１に戻り、同様の動作を繰り返す。
【００３７】
その後、カウント値がＮに到達すると、ステップＳ６０８からステップＳ６０９へ進み、カウント値をリセットする（カウント値＝０）。同時に、手動焦点ダイアル１１０の回転運動の中心値、すなわち、ΔＰ／２（＝ΔＰ１／２＝ΔＰ２／２）となるようにレンズモータ１０２を駆動制御する。そして、フォーカスレンズ１０１を合焦位置へ移動させる。その後はステップＳ６１０へ進み、Δｔ経過するまでに手動焦点ダイアル１１０が操作されたか否かを判定する。その結果、手動焦点ダイアル１１０がΔｔ経過内に操作された場合は、未だ合焦していないと判断してユーザーが手動焦点ダイアル１１０の操作を継続しているとしてステップＳ６０１に戻り、上記と同様の動作を繰り返す。尚，この場合の差分値ΔＰ１とΔＰ２は、前回の差分値がΔＰ１として扱われ、次回の差分値がΔＰ２と扱われるものとする。一方、Δｔ経過するまでに手動焦点ダイアル１１０が操作されなかった場合は、一連の動作を終了する。
【００３８】
上記実施例２においては、ΔＰ１＝ΔＰ２となる回数をカウントし（Ｓ６０７）、該カウント値が規定の回数Ｎとなった場合（Ｓ６０８のＹＥＳ）、手動焦点ダイアル１１０の回転運動は、ある中心位置を境界として同じ移動量を繰り返していると判定する。すなわち、このときの回転運動の中心位置が合焦位置（Ｓ６０９）であるとする。そして、この位置にフォーカスレンズ１０１を移動させるようにしている。
【００３９】
以上のように、手動焦点ダイアル１１０の回転方向の変化点における回転運動距離の差分値ΔＰの挙動に応じて、該差分値ΔＰの中心になるように、つまり焦点調節信号を定め、レンズモータ１０２を駆動制御する。これにより、フォーカスリング１０１の動きを収束させ得る該フォーカスレンズ１０１の位置を決定できる。
【００４０】
その結果、手動焦点ダイアル１１０の操作により決定されたフォーカスレンズ位置の画像が表示部１１３に表示されるまでに遅延を生じても、ユーザーは該遅延を意識することなく、手動焦点ダイアル１１０の操作により、円滑に合焦させることができる。つまり、実施例１と同様、合焦位置の近傍で焦点位置が定まらないという不具合を解消し、円滑に合焦位置へ手動焦点調節することができる。別言すれば、ユーザーの手動操作によるフォーカスリングの挙動を抑制し、円滑に所望の合焦位置に焦点を調節可能な焦点調節装置および撮像装置を提供可能となる。
【００４１】
（本発明と実施例の対応）
手動焦点ダイアル１１０が、本発明の、フォーカスレンズを手動操作にて移動させるための手動操作手段に相当する。また、ＣＰＵ１０９が、本発明の、手動操作手段の操作方向および操作量に応じたフォーカスレンズの焦点調節信号を算出する演算手段に相当する。また、レンズモータ１０２が、本発明の、焦点調節信号に基づいてフォーカスレンズを光軸方向に移動させるレンズ駆動手段に相当する。また、図３のステップＳ３０６の動作が、本発明の、手動操作手段の操作方向の変化点間における手動操作手段の操作量に相当するフォーカスレンズ位置の移動量の差分値を求める動作に相当する。そして、図３のステップ３０７〜Ｓ３１０が、差分値に応じて焦点調節信号を手動焦点調節操作が収束されるように制御する動作に相当する。
【図面の簡単な説明】
【００４２】
【図１】本発明の実施例１および２に係わる撮像装置の構成を示すブロック図である。
【図２】本発明の実施例１に係わる手動焦点ダイアル操作時のタイミングチャートである。
【図３】本発明の実施例１に係わる手動焦点ダイアル操作時における動作を示すフローチャートである。
【図４】図３の動作時におけるタイミングチャートである。
【図５】本発明の実施例２に係わる手動焦点ダイアル操作時のタイミングチャートである。
【図６】本発明の実施例２に係わる手動焦点ダイアル操作時における動作を示すフローチャートである。
【図７】図６の動作時におけるタイミングチャートである。
【符号の説明】
【００４３】
１０１      フォーカスレンズ
１０２      レンズモータ
１０３      撮像素子
１０５      カメラ信号処理部
１０６      画像メモリ
１０７      記録信号処理部
１０９      ＣＰＵ
１１０      手動焦点ダイアル
１１３      表示部
ΔＰ        差分値
ΔＰ１      差分値
ΔＰ２      差分値
Ｔｈ        閾値
【図１】
2008309850.tif 000003
【図２】
2008309850.tif 000004
【図３】
2008309850.tif 000005
【図４】
2008309850.tif 000006
【図５】
2008309850.tif 000007
【図６】
2008309850.tif 000008
【図７】
2008309850.tif 000009